(57)【要約】【解決手段】本発明はマルチキャリア・アグリゲーションシステム内のダウンリンク情報の伝送方法及び装置と開示する。当該方法は、基地局側は端末側にダウンリンク・サブフレームを送信するステップを含み、前記ダウンリンク・サブフレーム内の物理ダウンリンク制御チャネルＰＤＣＣＨは、ダウンリンク制御指示情報と各ダウンリンク制御指示情報毎に対応するキャリアスケジューリング指示情報を伝送する。キャリアアグリゲーションシステムにおいて、異なる帯域幅のキャリアであるが、対応するＤＣＩが同じ長さになってしまう場合、端末側が異なるキャリアのＤＣＩ情報を正しく区別できない従来技術の問題点を解決する。【選択図】図５
2013502113.tif 000002
【特許請求の範囲】
【請求項１】
マルチキャリア・アグリゲーションシステムにおけるダウンリンク情報の伝送方法であって、
基地局側が端末側にダウンリンク・サブフレームを送信するステップを含み、
前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）が、ダウンリンク制御指示情報と各ダウンリンク制御指示情報毎に対応するキャリアスケジューリング指示情報を搬送することを特徴とするマルチキャリア・アグリゲーションシステムにおけるダウンリンク情報の伝送方法。
【請求項２】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、
前記ダウンリンク制御指示情報フィールドはダウンリンク制御指示情報を伝送するのに用い、
前記キャリアスケジューリング指示情報フィールドはダウンリンク制御指示情報に対応するキャリアスケジューリング指示情報を伝送するのに用いることを特徴とする請求項１に記載のマルチキャリア・アグリゲーションシステムにおけるダウンリンク情報の伝送方法。
【請求項３】
前記キャリアスケジューリング指示情報フィールドと対応するダウンリンク制御指示情報フィールドの位置が固定的であることを特徴とする請求項２に記載のマルチキャリア・アグリゲーションシステムにおけるダウンリンク情報の伝送方法。
【請求項４】
前記ダウンリンクにおけるＰＤＣＣＨが、対応するキャリアのダウンリンク制御指示情報と、暗然的指示に対応するキャリアスケジューリング指示情報とを伝送するためのダウンリンク制御指示情報フィールドを含むことを特徴とする請求項１に記載のマルチキャリア・アグリゲーションシステムにおけるダウンリンク情報の伝送方法。
【請求項５】
異なるキャリアのダウンリンク制御指示に対して異なるスクランブリング配列を使用してスクランブリングする場合、前記キャリアスケジューリング指示情報が、
前記ダウンリンク制御指示情報をスクランブリングするためのスクランブリング配列を含むことを特徴とする請求項４に記載のマルチキャリア・アグリゲーションシステムにおけるダウンリンク情報の伝送方法。
【請求項６】
前記ダウンリンク・サブフレームにおけるＰＤＣＣＨが、対応するキャリアのダウンリンク制御指示情報を伝送するためのダウンリンク制御指示情報フィールドを含み、
前記キャリアスケジューリング指示情報が対応するダウンリンク制御指示情報の長さであり、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含むことを特徴とする請求項１に記載のマルチキャリア・アグリゲーションシステムにおけるダウンリンク情報の伝送方法。
【請求項７】
ダウンリンク・サブフレームを配置する配置手段と、
前記ダウンリンク・サブフレームを送信する送信手段とを有し、
前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）が、ダウンリンク制御指示情報と各ダウンリンク制御指示情報毎に対応するキャリアスケジューリング指示情報を伝送するのに用いることを特徴とするマルチキャリア・アグリゲーションシステムにおけるダウンリンク情報の伝送装置。
【請求項８】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、
前記ダウンリンク制御指示情報フィールドはダウンリンク制御指示情報を伝送するのに用い、
前記キャリアスケジューリング指示情報フィールドはダウンリンク制御指示情報に対応するキャリアスケジューリング指示情報を伝送するのに用いることを特徴とする請求項７に記載のマルチキャリア・アグリゲーションシステムにおけるダウンリンク情報の伝送装置。
【請求項９】
前記キャリアスケジューリング指示情報フィールドと対応するダウンリンク制御指示情報フィールドの位置は固定的であることを特徴とする請求項８に記載のマルチキャリア・アグリゲーションシステムにおけるダウンリンク情報の伝送装置。
【請求項１０】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含むことを特徴とする請求項７に記載のマルチキャリア・アグリゲーションシステムにおけるダウンリンク情報の伝送装置。
【請求項１１】
前記ダウンリンク・サブフレームにおけるＰＤＣＣＨが、対応するキャリアのダウンリンク制御指示情報を伝送するためのダウンリンク制御指示情報フィールドを含み、
前記キャリアスケジューリング指示情報が、対応するダウンリンク制御指示情報の長さであり、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含むことを特徴とする請求項７に記載のマルチキャリア・アグリゲーションシステムにおけるダウンリンク情報の伝送装置。
【請求項１２】
端末側はダウンリンク・サブフレームを検出した後、前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）から自身の占用するキャリアに対応するダウンリンク制御指示情報を取得するステップを含むことを特徴とするマルチキャリア・アグリゲーションシステムにおけるダウンリンク情報の取得方法。
【請求項１３】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、前記ダウンリンク制御指示情報フィールドはダウンリンク制御指示情報を伝送するのに用い、前記キャリアスケジューリング指示情報フィールドはダウンリンク制御指示情報に対応するキャリアスケジューリング指示情報を伝送するのに用い、
その場合、端末側自身の占用するキャリアに対応するダウンリンク制御指示情報を取得するステップが、
端末側が、キャリアスケジューリング指示情報フィールドからキャリアスケジューリング指示情報を取得し、対応するダウンリンク制御指示情報フィールドから各キャリアスケジューリング指示情報毎に対応するダウンリンク制御指示情報を取得し、又、自身の占用するキャリアの帯域幅情報により、自身の占用するキャリアに対応するダウンリンク制御指示情報を取得するステップを含むことを特徴とする請求項１２に記載のマルチキャリア・アグリゲーションシステムにおけるダウンリンク情報の取得方法。
【請求項１４】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、又、暗然的指示に対応するキャリアスケジューリング指示情報が当該キャリアのダウンリンク制御指示情報をスクランブリングするスクランブリング配列である場合、
端末側自身の占用するキャリアに対応するダウンリンク制御指示情報を取得するステップが、
端末側は自身の占用する各キャリアに対応するスクランブリング配列を使用して、検出されたダウンリンク制御指示情報をデスクランブリングし、デスクランブリングに成功した場合、当該ダウンリンク制御指示情報が、デスクランブリングに成功したスクランブリング配列に対応するキャリアに含まれると判定するステップを含むことを特徴とする請求項１２に記載のマルチキャリア・アグリゲーションシステムにおけるダウンリンク情報の取得方法。
【請求項１５】
前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報が対応するダウンリンク制御指示情報の長さであり、又、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含み、
その場合、端末側自身の占用するキャリアに対応するダウンリンク制御指示情報を取得するステップが、
端末側が各ダウンリンク制御指示情報の長さを使用して自身の占用するキャリアに対応するダウンリンク制御指示情報を認識して取得するステップを含むことを特徴とする請求項１２に記載のマルチキャリア・アグリゲーションシステムにおけるダウンリンク情報の取得方法。
【請求項１６】
基地局側から送信されるダウンリンク・サブフレームを検出する検出手段と、
ダウンリンク・サブフレームを検出した後、前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）から自身の占用するキャリアに対応するダウンリンク制御指示情報を取得する取得手段とを含むことを特徴とするマルチキャリア・アグリゲーションシステムにおけるダウンリンク情報の取得装置。
【請求項１７】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、前記ダウンリンク制御指示情報フィールドはダウンリンク制御指示情報を伝送するのに用い、前記キャリアスケジューリング指示情報フィールドはダウンリンク制御指示情報に対応するキャリアスケジューリング指示情報を伝送するのに用い、
その場合、前記取得手段が、キャリアスケジューリング指示情報フィールドからキャリアスケジューリング指示情報を取得し、対応するダウンリンク制御指示情報フィールドから各キャリアスケジューリング指示情報毎に対応するダウンリンク制御指示情報を取得し、又、端末側の占用するキャリアの帯域幅情報により、当該端末側の占用するキャリアに対応するダウンリンク制御指示情報を取得することを特徴とする請求項１６に記載のマルチキャリア・アグリゲーションシステムにおけるダウンリンク情報の取得装置。
【請求項１８】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、又、キャリアスケジューリング指示情報が当該キャリアのダウンリンク制御指示情報をスクランリングブするスクランブリング配列である場合、
前記取得手段が、端末側の占用する各キャリアに対応するスクランブリング配列を使用して、検出されたダウンリンク制御指示情報をデスクランブリングし、デスクランブリングに成功した場合、当該ダウンリンク制御指示情報はデスクランブリングに成功したスクランブリング配列に対応するキャリアに含まれると判定することを特徴とする請求項１６に記載のマルチキャリア・アグリゲーションシステムにおけるダウンリンク情報の取得装置。
【請求項１９】
前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報が対応するダウンリンク制御指示情報の長さであり、又、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含み、
その場合、前記取得手段が、各ダウンリンク制御指示情報の長さにより、自身の占用するキャリアに対応するダウンリンク制御指示情報を認識して取得することを特徴とする請求項１６に記載のマルチキャリア・アグリゲーションシステムにおけるダウンリンク情報の取得装置。
【発明の詳細な説明】
【技術分野】
【０００１】
本発明は通信技術領域に関し、特にマルチキャリア・アグリゲーションシステムにおけるダウンリンク情報の伝送方法及び装置に関する。
【背景技術】
【０００２】
長期進化（Ｌｏｎｇ  Ｔｅｒｍ  Ｅｖｏｌｕｔｉｏｎ、ＬＴＥ）システム及びその前の無線通信システムにおいて、１セルでは一つのキャリアのみが使用できる。
ＬＴＥシステムにおけるキャリアの最大帯域幅は２０ＭＨｚである。
【０００３】
しかし、進化版の長期進化システム（ＬＴＥ  Ａｄｖａｎｃｅｄ、ＬＴＥ−Ａ）において、システムのピークデータレートがＬＴＥシステムより大幅に向上したため、２０ＭＨｚという帯域幅は既にこのニーズを満足できなくなり、帯域幅の拡張が必要となる。
また、一つのＬＴＥ−Ａのセルに複数のキャリアが存在するため、キャリアアグリゲーション（Ｃａｒｒｉｅｒ  Ａｇｇｒｅｇａｔｉｏｎ、ＣＡ）技術も導入した。
即ち、同一セルにおける複数の連続又は非連続キャリアを束ねることにより、必要とする場合に同時に端末に提供してデータ速度の高速化を図る。
それらのキャリアは通常、コンポーネントキャリア（Ｃｏｍｐｏｎｅｎｔ  Ｃａｒｒｉｅｒ）と称し、キャリアとも略称する。
【発明の概要】
【発明が解決しようとする課題】
【０００４】
ＬＴＥシステムにおいて、ダウンリンク制御シグナリングとアップリンクスケジューリングシグナリングはダウンリンク制御情報（Ｄｏｗｎｌｉｎｋ  ｃｏｎｔｒｏｌ  ｉｎｆｏｒｍａｔｉｏｎ、ＤＣＩ）に含まれる。
キャリア毎の物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）上の情報は当該キャリアのスケジューリング情報を示す。
異なるＤＣＩフォーマットはビット長により区別でき、ＬＴＥ−Ａシステムは異なる帯域幅のキャリア間のアグリケーションに対応できる。
例えば、連続キャリアの間のアグリケーション、及び非連続キャリアの間のアグリケーションを対応できる。
図１は複数の非連続キャリアのアグリケーションを示している。
複数のコンポーネントキャリア・リソースをアグリケートすることにより、より高いデータ速度を取得する。
ＬＴＥ−Ａシステムにおける各コンポーネントキャリアの帯域幅はそれぞれと異なる可能であるため、１ユーザーが、同一時点に複数の異なる帯域幅のキャリアに対応するＤＣＩ情報を受信する場合もある。
その場合、異なるコンポーネントキャリアに対応するＤＣＩ情報を如何に正しく復号できるのかが一つの重要な課題になる。
【０００５】
ＬＴＥ−ＡシステムのＰＤＣＣＨに関する議論において、従来のＰＤＣＣＨ指示方法の技術案は主に以下の二つがある。
【０００６】
［方法１］
基地局はそれぞれのコンポーネントキャリアにより、各自のコンポーネントキャリアにおける物理リソースのみをスケジューリングできるＰＤＣＣＨを送信する。
図２に示したように、この方法は、良いＲ８システムとの交換性、キャリア指示情報が不要となり、低ＰＤＣＣＨ  ｂｌｏｃｋｉｎｇ率、又、電力バランスが確保できるという利点がある。
【０００７】
［方法２］
一つのコンポーネントキャリア上の複数のＰＤＣＣＨによりその他のコンポーネントキャリアの物理リソースをスケジューリングし、一つのＰＤＣＣＨは一つのコンポーネントキャリアのリソースのみをスケジューリングできる。
図３に示したように、この方法によれば、スケジューリングの応対性が優れ、干渉調節も容易にできる。
【０００８】
現在、方法２は多くの通信企業に支援されているが、スケジューリングの高応対性がある一方、ＤＣＩの検出に一定な影響を与える。
ＬＴＥ−Ａシステムでは異なるキャリアに対して異なる伝送モードを採用できるし、又、各キャリアのアグリゲーション帯域幅が互いに異なっているが、対応するＤＣＩフォーマットが同じビット数となる場合があるため、受信側がＤＣＩフォーマットを正しく検出できないことがある。
【０００９】
下表１に示したように、異なる帯域幅のキャリアに対応するＤＣＩフォーマット（ｆｏｒｍａｔ）が同じビット数になる場合があるため、受信側はＤＣＩフォーマットに対する検出混乱が起きる能性がある。
【００１０】
Ｒ８の規定に基づいて、以下の場合にＤＣＩフォーマットに対する検出混乱が起きる可能性がある（ＴＤＤシステムを例とする）。
１）２０ＭＨｚ帯域幅の場合のｆｏｒｍａｔ  １Ａと、
１０ＭＨｚ帯域幅で、２アンテナポートの場合のｆｏｒｍａｔ  １Ｂと、
１０ＭＨｚ帯域幅で、２アンテナポートの場合のｆｏｒｍａｔ  １Ｄと、
５ＭＨｚ帯域幅で、４アンテナポートの場合のｆｏｒｍａｔ  １Ｂと、
５ＭＨｚ帯域幅で、４アンテナポートの場合のｆｏｒｍａｔ  １Ｄと、
１．４ＭＨｚ帯域幅の場合のｆｏｒｍａｔ２Ａとは全て３１ビット長である。
２）１５ＭＨｚ帯域幅の場合のｆｏｒｍａｔ  １Ａと、
５ＭＨｚ帯域幅の場合のｆｏｒｍａｔ  １とは全て３０ビット長である。
３）１０ＭＨｚ帯域幅の場合のｆｏｒｍａｔ  １Ａと、
５ＭＨｚ帯域幅で、２アンテナポートの場合のｆｏｒｍａｔ  １Ｂと、
５ＭＨｚ帯域幅で、２アンテナポートの場合のｆｏｒｍａｔ  １Ｄと、
３ＭＨｚ帯域幅で、４アンテナポートの場合のｆｏｒｍａｔ  １Ｂと、
３ＭＨｚ帯域幅で、４アンテナポートの場合のｆｏｒｍａｔ  １Ｄとは全て２９ビット長である。
４）５ＭＨｚ帯域幅の場合のｆｏｒｍａｔ  １Ａと、
３ＭＨｚ帯域幅の場合のｆｏｒｍａｔ  １と、
３ＭＨｚ帯域幅で、２アンテナポートの場合のｆｏｒｍａｔ  １Ｂと、
３ＭＨｚ帯域幅で、２アンテナポートの場合のｆｏｒｍａｔ  １Ｄと、
１．４ＭＨｚ帯域幅で、４アンテナポートの場合のｆｏｒｍａｔ  １Ｂと、
１．４ＭＨｚ帯域幅で、４アンテナポートの場合のｆｏｒｍａｔ  １Ｄとは全て２７ビット長である。
５）３ＭＨｚ帯域幅の場合のｆｏｒｍａｔ  １Ａと、
４．５９ｆｔ帯域幅で、２アンテナポートの場合のｆｏｒｍａｔ  １Ｂと、
１．４ＭＨｚ帯域幅で、２アンテナポートの場合のｆｏｒｍａｔ  １Ｄとは全て２５ビット長である。
【００１１】
【表１】
2013502113.tif 000003
【００１２】
図４に示したように、上記分析により、例えば、１０ＭＨｚ帯域幅と２０ＭＨｚ帯域幅の２つのダウンリンクコンポーネントキャリアがアグリゲートする場合、この２つのコンポーネントキャリアがともに伝送モード６を採用すれば、現在のＲ８の規定に基づくと、ユーザー端末はｆｏｒｍａｔ  １Ａと１Ｂに対してブラインド検出する必要がある。
表１から分かるように、１０ＭＨｚキャリアに対応するｆｏｒｍａｔ  １Ｂ（２アンテナポートの場合）と２０ＭＨｚキャリアに対応するｆｏｒｍａｔ  １Ａとは同じ３１ビット長となったため、ユーザー端末は３１ビット長のＤＣＩ情報を検出した場合、２０ＭＨｚキャリアに対応するｆｏｒｍａｔ  １Ａであるか、１０ＭＨｚキャリアに対応するｆｏｒｍａｔ  １Ｂであるかを判定できないため、データ情報を正しく復号できない。
【課題を解決するための手段】
【００１３】
本発明は、上記かかる点に鑑みてなされたものであり、異なる帯域幅のキャリアに対応するＤＣＩフォーマットが同じビット長となった場合、受信側がＤＣＩフォーマットを正しく認識できなかった従来技術の問題点を解決するマルチキャリア・アグリゲーションシステムにおけるダウンリンク情報の送信方法と装置を提供することを目的とする。
【００１４】
本発明の実施形態に係るマルチキャリア・アグリゲーションシステムにおけるダウンリンク情報の送信方法は、基地局側が端末側にダウンリンク・サブフレームを送信するステップを含み、前記ダウンリンク・サブフレームにおける物理ダウンリンク制御チャネルが、ダウンリンク制御指示情報と各ダウンリンク制御指示情報毎に対応するキャリアスケジューリング指示情報とを搬送する
ことを含む。
【００１５】
本発明の実施形態に係るマルチキャリア・アグリゲーションシステムにおけるダウンリンク情報の送信装置は、ダウンリンク・サブフレームを配置する配置手段と、前記ダウンリンク・サブフレームを送信する送信手段とを有し、また、前記ダウンリンク・サブフレームにおける物理ダウンリンク制御チャネルは、ダウンリンク制御指示情報と各ダウンリンク制御指示情報毎に対応するキャリアスケジューリング指示情報を伝送する。
【００１６】
本発明の実施形態に係るマルチキャリア・アグリゲーションシステムにおけるダウンリンク情報の取得方法は、端末側は、ダウンリンク・サブフレームを検出した後、前記ダウンリンク・サブフレームにおける物理ダウンリンク制御チャネルから、自身が占用するキャリアに対応するアップリンクダウンリンク制御指示情報を取得するステップを含む。
【００１７】
本発明の実施形態に係るマルチキャリア・アグリゲーションシステムにおけるダウンリンク情報の取得装置は、基地局側から送信されたダウンリンク・サブフレームを検出する検出手段と、ダウンリンク・サブフレームを検出した後、前記ダウンリンク・サブフレームにおける物理ダウンリンク制御チャネルＰＤＣＣＨから、自身の占用するキャリアに対応するアップリンクダウンリンク制御指示情報を取得する取得手段とを有する。
【発明の効果】
【００１８】
本発明の実施形態にかかる基地局側から端末側へ送信されたダウンリンク・サブフレームには、ダウンリンク制御指示情報と各ダウンリンク制御指示情報毎に対応するキャリアスケジューリング指示情報とを伝送するダウンリンク制御指示フィールドが含まれることにより、異なる帯域幅のキャリアに対応するＤＣＩフォーマットが同じビット数となる場合、受信側がＤＣＩフォーマットに対する検出混乱が起きる問題点を解決できるようになる。
【図面の簡単な説明】
【００１９】
【図１】従来の技術における非連続キャリアのアグリケーションのイメージを示す図である。
【図２】従来の技術におけるＰＤＣＣＨ指示の方法１のイメージを示す図である。
【図３】従来の技術におけるＰＤＣＣＨ指示の方法２のイメージを示す図である。
【図４】従来の技術におけるＰＤＣＣＨ指示の方法２を利用する際に、ＤＣＩに対する認識混乱状況のイメージを示す図である。
【図５】本発明の実施形態に係るダウンリンク情報の送信方法のフローを示す図である
【図６】本発明の実施形態に係るＤＣＩ認識方法のイメージを示す図である。
【図７】本発明の実施形態に係るダウンリンク情報の送信装置の構造イメージを示す図である
【図８】本発明の実施形態に係るダウンリンク情報の取得方法のフローを示す図である
【図９】本発明の実施形態に係るダウンリンク情報の取得装置の構造イメージを示す図である。
【発明を実施するための形態】
【００２０】
従来のキャリアアグリゲーションシステムにおいては、異なる帯域幅のキャリアに対応するＤＣＩフォーマットが同じビット数となれるため、端末側が異なるキャリアのＤＣＩ情報をはっきり認識できない場合もあった。
この問題点を解決するため、本発明の実施形態は、基地局側から端末側へ送信する、配置されたダウンリンク・サブフレームが、ＤＣＩ情報と各ＤＣＩ情報に対応するキャリアスケジューリング指示情報とを伝送するためのダウンリンク制御指示フィールドを含むことより、端末側をそれぞれのキャリアに対応するＤＣＩ情報を識別できるようにする技術案を採用する。
各ダウンリンク・サブフレームにおけるＰＤＣＣＨはダウンリンク制御指示フィールドを搬送するために使用できる。
【００２１】
図５に示したように、本発明の実施形態に係るダウンリンク情報の送信方法は、基地局側がダウンリンク・サブフレームを配置するステップ５０１と、基地局側が端末側にダウンリンク・サブフレームを送信するステップ５０２とを含む。
以下、各ステップについてそれぞれ詳細に説明する。
【００２２】
［ステップ５０１］
前記ダウンリンク・サブフレームにおける物理ダウンリンク制御チャネル（ＰＤＣＣＨ）はダウンリンク制御指示情報及び各ダウンリンク制御指示情報毎に対応するキャリアスケジューリング指示情報を搬送する。
【００２３】
ここで、各ダウンリンク制御指示情報毎に対応するキャリアスケジューリング指示情報は顕然的方式となっても良いし、暗然的方式となっても良い。
【００２４】
顕然的方式の一例としては、各ダウンリンク・サブフレームのＰＤＣＣＨに、それぞれのＰＤＣＣＨがスケジューリングすべきキャリアの情報であるキャリアスケジューリング指示の情報が含まれる。
例えば、前記ダウンリンク・サブフレームにおけるＰＤＣＣＨは、ダウンリンク制御指示情報フィールドとキャリアスケジューリング指示情報フィールドとを含み、各ダウンリンク制御指示情報フィールド毎に一つのキャリアスケジューリング指示情報フィールドが対応しており、そのうち、前記ダウンリンク制御指示情報フィールドはダウンリンク制御指示情報を伝送し、前記キャリアスケジューリング指示情報フィールドはダウンリンク制御指示情報に対応するキャリアスケジューリング指示情報を伝送する。
【００２５】
上記顕然的方式を採用する一つの実施形態では、従来のＤＣＩ情報フィールドに当該ＤＣＩ情報に対応するキャリアを指示するためのＣＩ（ｃａｒｒｉｅｒ  ｉｎｄｉｃａｔｏｒ）指示フィールドを追加できる。
例えば、従来のＤＣＩ情報フィールドの前にキャリアスケジューリングの指示情報（例えば、２ビットのＣＩ指示情報）を追加する。
図６に示したように、２ビットのＣＩ指示情報を使用する場合、ユーザー端末は３３（２＋３１）ビット長のＤＣＩを受信した際、先ずＣＩ指示情報を確認する。
１０ＭＨｚキャリアを指示するためのＣＩ指示情報と判定すれば、１０ＭＨｚキャリアに対応するＤＣＩはｆｏｒｍａｔ  １Ａではなく、ｆｏｒｍａｔ  １Ｂであると判定できる（理由は１０ＭＨｚに対応するｆｏｒｍａｔ  １Ａのビット数は３１ビットではない）。
【００２６】
上述した顕然的方式の技術案において、端末側はＣＩ指示フィールドの位置と長さを予め了解したため、ＤＣＩ情報のビット数を検出した直後に、ＣＩ指示フィールドを検出でき、ＣＩ指示フィールドはＤＣＩ情報の最先頭、又は最後に設置できる。
【００２７】
各ダウンリンク制御指示情報毎に対応するキャリアスケジューリング指示情報が暗然的方式となる場合、前記ダウンリンク・サブフレームにおけるＰＤＣＣＨは、対応キャリアのダウンリンク制御指示情報と暗然的指示に対応するキャリアスケジューリング指示情報を伝送するためのダウンリンク制御指示情報フィールドとを含む。
【００２８】
ここで、暗然的方式の一例を挙げて説明する。
例えば、キャリア毎に対応するダウンリンク制御指示情報は異なるスクランブリング配列を対応しており、即ち、異なるキャリアのダウンリンク制御指示情報に対して異なるスクランブリング配列でスクランブリングする。
その場合、前記暗然的指示に対応するキャリアスケジューリング指示情報は、前記ダウンリンク制御指示情報のスクランブリング配列で指示される、前記ダウンリンク制御指示情報に対応するキャリアスケジューリング指示情報とを含む。
即ち、ＣＲＣマスキング（Ｃｙｃｌｉｃ  Ｒｅｄｕｎｄａｎｃｙ  Ｃｈｅｃｋ  Ｍａｓｋｉｎｇ）の方法により、ＣＲＣに対してスクランブリングし、異なるスクランブリング配列が異なるキャリアスケジューリング指示情報に対応しているため、端末側はダウンリンク情報を受信した後、ＣＲＣ情報を検出することによりスクランブリングコード情報を取得して、対応するキャリアスケジューリング指示情報を取得する。
この種類の暗然的方式の技術案は従来のＤＣＩフォーマットを変更する必要がなく、良い後方交換性を備える。
【００２９】
又、もう一種の実施方式で各ダウンリンク制御指示情報毎に対応するキャリアスケジューリング指示情報を表現できる。
例えば、ダウンリンク制御指示情報の長さにより、各ダウンリンク制御指示情報毎に対応するキャリアスケジューリング指示情報を識別でき、また、同じ長さのＤＣＩに対して、パディング（ｐａｄｄｉｎｇ）ビットを付加することでさらに識別することができる。
この種の技術案において、異なる帯域幅であるが、配置されたＤＣＩ  ｆｏｒｍａｔが同じビット数となる場合、基地局側はゼロパディング（ｐａｄｄｉｎｇ）ビットを付加することでＤＣＩフォーマットをさらに識別する。
ｐａｄｄｉｎｇビットの付加により他のＤＣＩと同じビット数となった場合、ｐａｄｄｉｎｇビットを引き続き付加して同じビットのＤＣＩらを識別する。
端末側と基地局側はゼロパディングの数について約束できる。
すなわち、この実施方式において、前記ダウンリンク・サブフレームにおけるＰＤＣＣＨはダウンリンク制御指示情報を搬送し、その際のキャリアスケジューリング指示情報は対応するダウンリンク制御指示情報の長さであり、又、異なるキャリアに対応するダウンリンク制御指示情報が同じビット数となる場合、前記キャリアスケジューリング指示情報は、対応するダウンリンク制御指示情報の後に付加された、異なるキャリアを識別するためのゼロをさらに含む。
【００３０】
［ステップ５０２］
以下、ステップ５０２について詳細に説明する。
【００３１】
前記ダウンリンク・サブフレームはダウンリンク制御指示情報と各ダウンリンク制御指示情報を対応するキャリアスケジューリング指示情報を含むため、前記ダウンリンク・サブフレームが端末側に送信された後、端末側は前記ダウンリンク・サブフレームでスケジューリングするキャリアの帯域幅により、具体的なＤＣＩフォーマットを判定できる。
【００３２】
図７に示したように、本発明の実施形態に係るマルチキャリア・アグリゲーションシステムにおけるダウンリンク情報の送信装置は、配置手段７１と、送信手段７２とを有する。
前記配置手段７１は、ダウンリンク・サブフレームを配置する。
前記ダウンリンク・サブフレームにおける物理ダウンリンク制御チャネル（ＰＤＣＣＨ）はダウンリンク制御指示情報及び各ダウンリンク制御指示情報を対応するキャリアスケジューリング指示情報を搬送する。
送信手段７２は、前記ダウンリンク・サブフレームを送信する。
【００３３】
一つの実施形態において、前記ダウンリンク・サブフレームにおけるＰＤＣＣＨは、ダウンリンク制御指示情報フィールドとキャリアスケジューリング指示情報フィールドとを含むことができ、一つのダウンリンク制御指示情報フィールド毎に一つのキャリアスケジューリング指示情報フィールドが対応しており、そのうち、前記ダウンリンク制御指示情報フィールドはダウンリンク制御指示情報を伝送し、前記キャリア指示情報フィールドはダウンリンク制御指示情報に対応するキャリアのスケジューリング指示情報を伝送する。
前記キャリア指示情報フィールドと対応するダウンリンク制御指示情報フィールドの位置は相対的に固定している。
例えば、前記キャリア指示情報フィールドは対応するダウンリンク制御指示情報フィールドの前又は後、又は一定のビット間隔を置いて設置する。
【００３４】
もう一つの実施形態において、前記ダウンリンク・サブフレームにおけるＰＤＣＣＨは、対応するキャリアのダウンリンク制御指示情報と、暗然的指示に対応するキャリアスケジューリング指示情報とを伝送するためのダウンリンク制御指示情報フィールドを含むことができる。
各キャリア毎に対応するダウンリンク制御指示情報が異なるスクランブリング配列を対応しているため、各ダウンリンク制御指示情報に対応するスクランブリング配列をキャリアスケジューリング指示情報とすることができる。
【００３５】
さらにもう一つの実施形態において、前記ダウンリンク・サブフレームにおけるＰＤＣＣＨは、対応するキャリアのダウンリンク制御指示情報を伝送するためのダウンリンク制御指示情報フィールドを含むことができる。
前記キャリアスケジューリング指示情報は対応するダウンリンク制御指示情報の長さであり、且つ異なるキャリアに対応する複数のダウンリンク制御指示情報が同じビット数となった場合、前記キャリアスケジューリング指示情報はさらに、対応するダウンリンク制御指示情報の後に付加される、異なるキャリアを区別するためのビットを含む。
例えば、対応するダウンリンク制御指示情報の後にゼロを埋めて異なるキャリアを区別する。
【００３６】
図８に示したように、本発明の実施形態に係るダウンリンク情報の取得方法は、端末側はダウンリンク・サブフレームを検出するステップ８０１と、端末側はダウンリンク制御指示フィールドを含むダウンリンク・サブフレームを検出した後、前記ダウンリンク・サブフレームにおける物理ダウンリンク制御チャネル（ＰＤＣＣＨ）から自身の占用するキャリアに対応するダウンリンク制御指示情報及び各ダウンリンク制御指示情報毎に対応するキャリアスケジューリング指示情報を取得するステップ８０２とを含む。
【００３７】
ＰＤＣＣＨで伝送されるダウンリンク制御指示情報とキャリアスケジューリング指示情報の状況により、ステップ８０２は複数種の方法で実現できる。
【００３８】
例えば、前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応しており、そのうち、前記ダウンリンク制御指示情報フィールドはダウンリンク制御指示情報を伝送し、前記キャリアスケジューリング指示情報フィールドはダウンリンク制御指示情報に対応するキャリアスケジューリング指示情報を伝送する。
このようなＰＤＣＣＨ状態の場合、端末側はキャリアスケジューリング指示情報フィールドからキャリアスケジューリング指示情報を取得し、且つ、対応するダウンリンク制御指示情報フィールドから各キャリアスケジューリング指示情報毎に対応するダウンリンク制御指示情報を取得し、又、自身が占用するキャリアの帯域幅情報により、自身が占用するキャリアに対応するダウンリンク制御指示情報を取得する。
このように、端末が前記ダウンリンク制御指示フィールドから自ら占用するキャリアに対応するダウンリンク制御指示情報を取得することは、次の方法で実現できる。
【００３９】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、且つ陰的指示に対応するキャリアスケジューリング指示情報は当該キャリアのダウンリンク制御指示情報のスクランブリング配列である。
この際、端末側は自身の占用する各キャリア毎に対応するスクランブリング配列を使用し、検出されたダウンリンク制御指示情報をデスクランブリングし、デスクランブリング成功の場合、当該ダウンリンク制御指示情報をデスクランブリングに成功した際に使用されたスクランブリング配列に対応するキャリアのものと判定する。
こうして、前記ダウンリンク制御指示フィールドから自身の占用するキャリアに対応するダウンリンク制御指示情報を取得する。
【００４０】
また、前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報は対応するダウンリンク制御指示情報の長さであり、且つ異なるキャリアに対応するダウンリンク制御指示情報が同じビット数となる場合、前記キャリアスケジューリング指示情報は、対応するダウンリンク制御指示情報の後に付加される、異なるキャリアを区別するためのゼロをさらに含む。
この際、端末側は前記ダウンリンク制御指示フィールドから自身の占用するキャリアに対応するダウンリンク制御指示情報を取得でき、具体的には、各ダウンリンク制御指示情報の長さを使用して自身の占用するキャリアに対応するダウンリンク制御指示情報を認識して取得する。
【００４１】
図９に示したように、図８に示した方法に応じる、本発明の実施形態に係るマルチキャリア・アグリゲーションシステムにおけるダウンリンク情報の取得装置は、基地局側より送信されたダウンリンク・サブフレームを検出する検出手段９１と、ダウンリンク・サブフレームを検出した後、前記ダウンリンク・サブフレームにおける物理ダウンリンク制御チャネル（ＰＤＣＣＨ）から自身が占用するキャリアに対応するダウンリンク制御指示情報を取得する取得手段９２とを有する。
【００４２】
前記ダウンリンク・サブフレームにおけるＰＤＣＣＨが、ダウンリンク制御指示情報フィールドとキャリアスケジューリング指示情報フィールドを含み、各ダウンリンク制御指示情報フィールド毎に一つのキャリア指示情報フィールドが対応しており、そのうち、前記ダウンリンク制御指示情報フィールドはダウンリンク制御指示情報を伝送し、前記キャリアスケジューリング指示情報フィールドはダウンリンク制御指示情報に対応するキャリアスケジューリング指示情報を伝送する。
この際、前記取得手段９２はキャリアスケジューリング指示情報フィールドからキャリアスケジューリング指示情報を取得し、且つ、対応するダウンリンク制御指示情報フィールドから各キャリアスケジューリング指示情報毎に対応するダウンリンク制御指示情報を取得し、又、端末側が占用するキャリアの帯域幅情報により、当該端末側が占用するキャリアに対応するダウンリンク制御指示情報を取得する。
【００４３】
また、前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、且つ暗然的指示に対応するキャリアスケジューリング指示情報は当該キャリアのダウンリンク制御指示情報のスクランブリング配列である場合、前記取得手段９２は端末側の占用する各キャリアに対応するスクランブリング配列を使用し、検出されたダウンリンク制御指示情報をデスクランブリングする。
デスクランブリングできた場合、当該ダウンリンク制御指示情報をデスクランブリングできたスクランブリング配列に対応するキャリアのものと判定できる。
【００４４】
また、前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報は対応するダウンリンク制御指示情報の長さであり、且つ異なるキャリアに対応するダウンリンク制御指示情報が同じビット数となる場合、前記キャリアスケジューリング指示情報は、対応するダウンリンク制御指示情報の後に付加される、異なるキャリアを区別するためのゼロをさらに含む。
この際、前記取得手段９２は各ダウンリンク制御指示情報の長さにより、自身の占用するキャリアに対応するダウンリンク制御指示情報を認識して取得する。
【００４５】
本発明の実施形態において、基地局側はダウンリンク・サブフレームのＰＤＣＣＨを配置する際、キャリアスケジューリング指示情報を当該ダウンリンク・サブフレームのＰＤＣＣＨに含ませる必要がある。
ここで、キャリアスケジューリング指示情報は、ＤＣＩ情報にＣＩビットフィールドを追加することで顕然的方式で指示できるし、又は、暗然的方式で指示できる。
顕然的方式でキャリアスケジューリング指示情報を指示する場合、ＰＤＣＣＨ内のＣＩ情報フィールドの位置は端末側が予め了解できるものであり、ＤＣＩ情報の最先頭又は最後に置くことができる。
【００４６】
顕然的方式でキャリアスケジューリング指示情報を指示する場合、基地局側は各ＤＣＩ毎にキャリアスケジューリング指示ビットを追加する。
端末側はダウンリンク・サブフレームにおけるＤＣＩフィールドを検出した後、先ず固定の位置にキャリアスケジューリング指示情報フィールドを見つけ、当該ＤＣＩフィールドにおけるＤＣＩ情報に指示されたキャリアを解析する。
同時に、端末は自身の占用する各キャリアの帯域幅を分かるため、キャリアスケジューリング指示情報と帯域幅情報を結合すれば、当該ＤＣＩがどちらのキャリアをスケジューリングするものか、及び当該ＤＣＩのフォーマットを間違いなく判定できる。
【００４７】
一方、暗然的方式でキャリアスケジューリング指示情報を指示する場合、Ｒ８システムにおいて、端末側へのＤＣＩ情報はＣＲＣチェックが追加された後、ＰＤＣＣＨにおいて伝送される。
キャリアスケジューリング指示情報を取得させるため、キャリア毎に対して一つの配列を対応する。
基地局側でＤＣＩ情報にＣＲＣチェックを追加する際、当該ＤＣＩのスケジューリングするキャリアに対応する配列を使用して、ＣＲＣをスクランブリングしてからＰＤＣＣＨで伝送する。
端末側はＣＲＣチェックを実行する際、自身の各キャリアに対応する異なる配列を使用してＣＲＣをデスクランブルし、当該ＣＲＣを正しくデスクランブリングできる配列を確認する。
デスクランブルに成功した際に使用された配列に対応するキャリアは、当該ＤＣＩ情報に指示されたキャリアである。
そうすると、当該ＤＣＩでスケジューリングされているキャリア情報は暗然的方式で取得できるようになる。
その後、キャリアスケジューリング指示情報と帯域幅情報を結合すれば、当該ＤＣＩでスケジューリングされているキャリア、及び当該ＤＣＩのフォーマットを間違いなく判定できるようになる。
【００４８】
本発明の実施形態では、又、ｐａｄｄｉｎｇビットを付加することによりＤＣＩフォーマットを認識できない問題点を解決する。
各コンポーネントキャリア
2013502113.tif 000004
の帯域幅が異なることにより、対応するＤＣＩフォーマットもそれぞれとなるが、それらの相違するＤＣＩフォーマットが同じ長さになる場合あるため、受信側がＤＣＩフォーマットを認識できなくなる。
この際、ｐａｄｄｉｎｇビットを追加して長さをそれぞれ異なるようにすることにより、受信側におけるＤＣＩフォーマットを識別できない問題点を解決する。
【００４９】
本発明の実施形態はＤＣＩフォーマットを認識できない問題点を有効的に解決でき、異なる帯域幅のキャリアがアグリゲートされた場合でも、ＤＣＩを正しく検出できるようにする。
【００５０】
本領域の技術者として、本発明の実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。
当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【００５１】
以上は本発明の実施形態の方法、装置（システム）、及びコンピュータプログラム製品のフロー及び／又はブロック図により本発明を記述した。
理解すべきことは、コンピュータプログラムの指令により、フロー及び／又はブロック図における各フロー及び／又はブロックと、フロー及び／又はブロック図におけるフロー及び／又はブロックの結合を実現できる。
プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における一つのブロック又は複数のブロックに指定される機能を実現する。
【００５２】
それらのコンピュータプログラム指令は又、コンピュータ又は他のプログラミング可能なデータ処理装置を特定方式で動作させるコンピュータ読取記憶装置に記憶できる。
これにより、指令を含む装置は当該コンピュータ読取記憶装置における指令を実行でき、又、フロー図における一つまたは複数のフローと／又はブロック図における一つ又は複数のブロックにおいて指定される機能を実現できる。
【００５３】
これらのコンピュータプログラム指令は又、コンピュータ又は他のプログラミング可能なデータ処理装置に実装できる。
コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【００５４】
本発明の好ましい実施形態について記述したが、当業者は、本発明の基本的な技術思想を把握した上、多種多様な変更と変形を行える。
そのような全ての変形及と変更は本発明に記述された実施形態と共に、付加する請求の範囲の範囲内にあると解釈されるべきである。
【００５５】
無論、当業者により、上述した実施形態に記述された技術的な解決手段を改造し、又はその中の一部の技術要素を置換することもできる。
そのような改造と置換は本発明の各実施形態の技術の範囲から逸脱するとは見なされない。
【図１】
2013502113.tif 000005
【図２】
2013502113.tif 000006
【図３】
2013502113.tif 000007
【図４】
2013502113.tif 000008
【図５】
2013502113.tif 000009
【図６】
2013502113.tif 000010
【図７】
2013502113.tif 000011
【図８】
2013502113.tif 000012
【図９】
2013502113.tif 000013
【手続補正書】
【提出日】平成24年2月13日(2012.2.13)
【手続補正１】
【補正対象書類名】明細書
【補正対象項目名】全文
【補正方法】変更
【補正の内容】
【発明の詳細な説明】
【技術分野】
【０００１】
本発明は通信技術領域に関し、特にマルチキャリア・アグリゲーションシステムにおけるダウンリンク情報の伝送方法及び装置に関する。
【背景技術】
【０００２】
長期進化（Ｌｏｎｇ  Ｔｅｒｍ  Ｅｖｏｌｕｔｉｏｎ、ＬＴＥ）システム及びその前の無線通信システムにおいて、１セルでは一つのキャリアのみが使用できる。
ＬＴＥシステムにおけるキャリアの最大帯域幅は２０ＭＨｚである。
【０００３】
しかし、進化版の長期進化システム（ＬＴＥ  Ａｄｖａｎｃｅｄ、ＬＴＥ−Ａ）において、システムのピークデータレートがＬＴＥシステムより大幅に向上したため、２０ＭＨｚという帯域幅は既にこのニーズを満足できなくなり、帯域幅の拡張が必要となる。
また、一つのＬＴＥ−Ａのセルに複数のキャリアが存在するため、キャリアアグリゲーション（Ｃａｒｒｉｅｒ  Ａｇｇｒｅｇａｔｉｏｎ、ＣＡ）技術も導入した。
即ち、同一セルにおける複数の連続又は非連続キャリアを束ねることにより、必要とする場合に同時に端末に提供してデータ速度の高速化を図る。
それらのキャリアは通常、コンポーネントキャリア（Ｃｏｍｐｏｎｅｎｔ  Ｃａｒｒｉｅｒ）と称し、キャリアとも略称する。
【発明の概要】
【発明が解決しようとする課題】
【０００４】
ＬＴＥシステムにおいて、ダウンリンク制御シグナリングとアップリンクスケジューリングシグナリングはダウンリンク制御情報（Ｄｏｗｎｌｉｎｋ  ｃｏｎｔｒｏｌ  ｉｎｆｏｒｍａｔｉｏｎ、ＤＣＩ）に含まれる。
キャリア毎の物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）上の情報は当該キャリアのスケジューリング情報を示す。
異なるＤＣＩフォーマットはビット長により区別でき、ＬＴＥ−Ａシステムは異なる帯域幅のキャリア間のアグリケーションに対応できる。
例えば、連続キャリアの間のアグリケーション、及び非連続キャリアの間のアグリケーションを対応できる。
図１は複数の非連続キャリアのアグリケーションを示している。
複数のコンポーネントキャリア・リソースをアグリケートすることにより、より高いデータ速度を取得する。
ＬＴＥ−Ａシステムにおける各コンポーネントキャリアの帯域幅はそれぞれと異なる可能であるため、１ユーザーが、同一時点に複数の異なる帯域幅のキャリアに対応するＤＣＩ情報を受信する場合もある。
その場合、異なるコンポーネントキャリアに対応するＤＣＩ情報を如何に正しく復号できるのかが一つの重要な課題になる。
【０００５】
ＬＴＥ−ＡシステムのＰＤＣＣＨに関する議論において、従来のＰＤＣＣＨ指示方法の技術案は主に以下の二つがある。
【０００６】
［方法１］
基地局はそれぞれのコンポーネントキャリアにより、各自のコンポーネントキャリアにおける物理リソースのみをスケジューリングできるＰＤＣＣＨを送信する。
図２に示したように、この方法は、良いＲ８システムとの交換性、キャリア指示情報が不要となり、低ＰＤＣＣＨ  ｂｌｏｃｋｉｎｇ率、又、電力バランスが確保できるという利点がある。
【０００７】
［方法２］
一つのコンポーネントキャリア上の複数のＰＤＣＣＨによりその他のコンポーネントキャリアの物理リソースをスケジューリングし、一つのＰＤＣＣＨは一つのコンポーネントキャリアのリソースのみをスケジューリングできる。
図３に示したように、この方法によれば、スケジューリングの応対性が優れ、干渉調節も容易にできる。
【０００８】
現在、方法２は多くの通信企業に支援されているが、スケジューリングの高応対性がある一方、ＤＣＩの検出に一定な影響を与える。
ＬＴＥ−Ａシステムでは異なるキャリアに対して異なる伝送モードを採用できるし、又、各キャリアのアグリゲーション帯域幅が互いに異なっているが、対応するＤＣＩフォーマットが同じビット数となる場合があるため、受信側がＤＣＩフォーマットを正しく検出できないことがある。
【０００９】
下表１に示したように、異なる帯域幅のキャリアに対応するＤＣＩフォーマット（ｆｏｒｍａｔ）が同じビット数になる場合があるため、受信側はＤＣＩフォーマットに対する検出混乱が起きる能性がある。
【００１０】
Ｒ８の規定に基づいて、以下の場合にＤＣＩフォーマットに対する検出混乱が起きる可能性がある（ＴＤＤシステムを例とする）。
１）２０ＭＨｚ帯域幅の場合のｆｏｒｍａｔ  １Ａと、
１０ＭＨｚ帯域幅で、２アンテナポートの場合のｆｏｒｍａｔ  １Ｂと、
１０ＭＨｚ帯域幅で、２アンテナポートの場合のｆｏｒｍａｔ  １Ｄと、
５ＭＨｚ帯域幅で、４アンテナポートの場合のｆｏｒｍａｔ  １Ｂと、
５ＭＨｚ帯域幅で、４アンテナポートの場合のｆｏｒｍａｔ  １Ｄと、
１．４ＭＨｚ帯域幅の場合のｆｏｒｍａｔ２Ａとは全て３１ビット長である。
２）１５ＭＨｚ帯域幅の場合のｆｏｒｍａｔ  １Ａと、
５ＭＨｚ帯域幅の場合のｆｏｒｍａｔ  １とは全て３０ビット長である。
３）１０ＭＨｚ帯域幅の場合のｆｏｒｍａｔ  １Ａと、
５ＭＨｚ帯域幅で、２アンテナポートの場合のｆｏｒｍａｔ  １Ｂと、
５ＭＨｚ帯域幅で、２アンテナポートの場合のｆｏｒｍａｔ  １Ｄと、
３ＭＨｚ帯域幅で、４アンテナポートの場合のｆｏｒｍａｔ  １Ｂと、
３ＭＨｚ帯域幅で、４アンテナポートの場合のｆｏｒｍａｔ  １Ｄとは全て２９ビット長である。
４）５ＭＨｚ帯域幅の場合のｆｏｒｍａｔ  １Ａと、
３ＭＨｚ帯域幅の場合のｆｏｒｍａｔ  １と、
３ＭＨｚ帯域幅で、２アンテナポートの場合のｆｏｒｍａｔ  １Ｂと、
３ＭＨｚ帯域幅で、２アンテナポートの場合のｆｏｒｍａｔ  １Ｄと、
１．４ＭＨｚ帯域幅で、４アンテナポートの場合のｆｏｒｍａｔ  １Ｂと、
１．４ＭＨｚ帯域幅で、４アンテナポートの場合のｆｏｒｍａｔ  １Ｄとは全て２７ビット長である。
５）３ＭＨｚ帯域幅の場合のｆｏｒｍａｔ  １Ａと、
４．５９ｆｔ帯域幅で、２アンテナポートの場合のｆｏｒｍａｔ  １Ｂと、
１．４ＭＨｚ帯域幅で、２アンテナポートの場合のｆｏｒｍａｔ  １Ｄとは全て２５ビット長である。
【００１１】
【表１】
2013502113.tif 000014
【００１２】
図４に示したように、上記分析により、例えば、１０ＭＨｚ帯域幅と２０ＭＨｚ帯域幅の２つのダウンリンクコンポーネントキャリアがアグリゲートする場合、この２つのコンポーネントキャリアがともに伝送モード６を採用すれば、現在のＲ８の規定に基づくと、ユーザー端末はｆｏｒｍａｔ  １Ａと１Ｂに対してブラインド検出する必要がある。
表１から分かるように、１０ＭＨｚキャリアに対応するｆｏｒｍａｔ  １Ｂ（２アンテナポートの場合）と２０ＭＨｚキャリアに対応するｆｏｒｍａｔ  １Ａとは同じ３１ビット長となったため、ユーザー端末は３１ビット長のＤＣＩ情報を検出した場合、２０ＭＨｚキャリアに対応するｆｏｒｍａｔ  １Ａであるか、１０ＭＨｚキャリアに対応するｆｏｒｍａｔ  １Ｂであるかを判定できないため、データ情報を正しく復号できない。
【課題を解決するための手段】
【００１３】
本発明は、上記かかる点に鑑みてなされたものであり、異なる帯域幅のキャリアに対応するＤＣＩフォーマットが同じビット長となった場合、受信側がＤＣＩフォーマットを正しく認識できなかった従来技術の問題点を解決するマルチキャリア・アグリゲーションシステムにおけるダウンリンク情報の送信方法と装置を提供することを目的とする。
【００１４】
本発明の実施形態に係るマルチキャリア・アグリゲーションシステムにおけるダウンリンク情報の送信方法は、基地局側が端末側にダウンリンク・サブフレームを送信するステップを含み、前記ダウンリンク・サブフレームにおける物理ダウンリンク制御チャネルが、ダウンリンク制御指示情報と各ダウンリンク制御指示情報毎に対応するキャリアスケジューリング指示情報とを搬送する
ことを含む。
【００１５】
本発明の実施形態に係るマルチキャリア・アグリゲーションシステムにおけるダウンリンク情報の送信装置は、ダウンリンク・サブフレームを配置する配置手段と、前記ダウンリンク・サブフレームを送信する送信手段とを有し、また、前記ダウンリンク・サブフレームにおける物理ダウンリンク制御チャネルは、ダウンリンク制御指示情報と各ダウンリンク制御指示情報毎に対応するキャリアスケジューリング指示情報を伝送する。
【００１６】
本発明の実施形態に係るマルチキャリア・アグリゲーションシステムにおけるダウンリンク情報の取得方法は、端末側は、ダウンリンク・サブフレームを検出した後、前記ダウンリンク・サブフレームにおける物理ダウンリンク制御チャネルから、自身が占用するキャリアに対応するアップリンクダウンリンク制御指示情報を取得するステップを含む。
【００１７】
本発明の実施形態に係るマルチキャリア・アグリゲーションシステムにおけるダウンリンク情報の取得装置は、基地局側から送信されたダウンリンク・サブフレームを検出する検出手段と、ダウンリンク・サブフレームを検出した後、前記ダウンリンク・サブフレームにおける物理ダウンリンク制御チャネルＰＤＣＣＨから、自身の占用するキャリアに対応するアップリンクダウンリンク制御指示情報を取得する取得手段とを有する。
【発明の効果】
【００１８】
本発明の実施形態にかかる基地局側から端末側へ送信されたダウンリンク・サブフレームには、ダウンリンク制御指示情報と各ダウンリンク制御指示情報毎に対応するキャリアスケジューリング指示情報とを伝送するダウンリンク制御指示フィールドが含まれることにより、異なる帯域幅のキャリアに対応するＤＣＩフォーマットが同じビット数となる場合、受信側がＤＣＩフォーマットに対する検出混乱が起きる問題点を解決できるようになる。
【図面の簡単な説明】
【００１９】
【図１】従来の技術における非連続キャリアのアグリケーションのイメージを示す図である。
【図２】従来の技術におけるＰＤＣＣＨ指示の方法１のイメージを示す図である。
【図３】従来の技術におけるＰＤＣＣＨ指示の方法２のイメージを示す図である。
【図４】従来の技術におけるＰＤＣＣＨ指示の方法２を利用する際に、ＤＣＩに対する認識混乱状況のイメージを示す図である。
【図５】本発明の実施形態に係るダウンリンク情報の送信方法のフローを示す図である
【図６】本発明の実施形態に係るＤＣＩ認識方法のイメージを示す図である。
【図７】本発明の実施形態に係るダウンリンク情報の送信装置の構造イメージを示す図である
【図８】本発明の実施形態に係るダウンリンク情報の取得方法のフローを示す図である
【図９】本発明の実施形態に係るダウンリンク情報の取得装置の構造イメージを示す図である。
【発明を実施するための形態】
【００２０】
従来のキャリアアグリゲーションシステムにおいては、異なる帯域幅のキャリアに対応するＤＣＩフォーマットが同じビット数となれるため、端末側が異なるキャリアのＤＣＩ情報をはっきり認識できない場合もあった。
この問題点を解決するため、本発明の実施形態は、基地局側から端末側へ送信する、配置されたダウンリンク・サブフレームが、ＤＣＩ情報と各ＤＣＩ情報に対応するキャリアスケジューリング指示情報とを伝送するためのダウンリンク制御指示フィールドを含むことより、端末側をそれぞれのキャリアに対応するＤＣＩ情報を識別できるようにする技術案を採用する。
各ダウンリンク・サブフレームにおけるＰＤＣＣＨはダウンリンク制御指示フィールドを搬送するために使用できる。
【００２１】
図５に示したように、本発明の実施形態に係るダウンリンク情報の送信方法は、基地局側がダウンリンク・サブフレームを配置するステップ５０１と、基地局側が端末側にダウンリンク・サブフレームを送信するステップ５０２とを含む。
以下、各ステップについてそれぞれ詳細に説明する。
【００２２】
［ステップ５０１］
前記ダウンリンク・サブフレームにおける物理ダウンリンク制御チャネル（ＰＤＣＣＨ）はダウンリンク制御指示情報及び各ダウンリンク制御指示情報毎に対応するキャリアスケジューリング指示情報を搬送する。
【００２３】
ここで、各ダウンリンク制御指示情報毎に対応するキャリアスケジューリング指示情報は顕然的方式となっても良いし、暗然的方式となっても良い。
【００２４】
顕然的方式の一例としては、各ダウンリンク・サブフレームのＰＤＣＣＨに、それぞれのＰＤＣＣＨがスケジューリングすべきキャリアの情報であるキャリアスケジューリング指示の情報が含まれる。
例えば、前記ダウンリンク・サブフレームにおけるＰＤＣＣＨは、ダウンリンク制御指示情報フィールドとキャリアスケジューリング指示情報フィールドとを含み、各ダウンリンク制御指示情報フィールド毎に一つのキャリアスケジューリング指示情報フィールドが対応しており、そのうち、前記ダウンリンク制御指示情報フィールドはダウンリンク制御指示情報を伝送し、前記キャリアスケジューリング指示情報フィールドはダウンリンク制御指示情報に対応するキャリアスケジューリング指示情報を伝送する。
【００２５】
上記顕然的方式を採用する一つの実施形態では、従来のＤＣＩ情報フィールドに当該ＤＣＩ情報に対応するキャリアを指示するためのＣＩ（ｃａｒｒｉｅｒ  ｉｎｄｉｃａｔｏｒ）指示フィールドを追加できる。
例えば、従来のＤＣＩ情報フィールドの前にキャリアスケジューリングの指示情報（例えば、２ビットのＣＩ指示情報）を追加する。
図６に示したように、２ビットのＣＩ指示情報を使用する場合、ユーザー端末は３３（２＋３１）ビット長のＤＣＩを受信した際、先ずＣＩ指示情報を確認する。
１０ＭＨｚキャリアを指示するためのＣＩ指示情報と判定すれば、１０ＭＨｚキャリアに対応するＤＣＩはｆｏｒｍａｔ  １Ａではなく、ｆｏｒｍａｔ  １Ｂであると判定できる（理由は１０ＭＨｚに対応するｆｏｒｍａｔ  １Ａのビット数は３１ビットではない）。
【００２６】
上述した顕然的方式の技術案において、端末側はＣＩ指示フィールドの位置と長さを予め了解したため、ＤＣＩ情報のビット数を検出した直後に、ＣＩ指示フィールドを検出でき、ＣＩ指示フィールドはＤＣＩ情報の最先頭、又は最後に設置できる。
【００２７】
各ダウンリンク制御指示情報毎に対応するキャリアスケジューリング指示情報が暗然的方式となる場合、前記ダウンリンク・サブフレームにおけるＰＤＣＣＨは、対応キャリアのダウンリンク制御指示情報と暗然的指示に対応するキャリアスケジューリング指示情報を伝送するためのダウンリンク制御指示情報フィールドとを含む。
【００２８】
ここで、暗然的方式の一例を挙げて説明する。
例えば、キャリア毎に対応するダウンリンク制御指示情報は異なるスクランブリング配列を対応しており、即ち、異なるキャリアのダウンリンク制御指示情報に対して異なるスクランブリング配列でスクランブリングする。
その場合、前記暗然的指示に対応するキャリアスケジューリング指示情報は、前記ダウンリンク制御指示情報のスクランブリング配列で指示される、前記ダウンリンク制御指示情報に対応するキャリアスケジューリング指示情報とを含む。
即ち、ＣＲＣマスキング（Ｃｙｃｌｉｃ  Ｒｅｄｕｎｄａｎｃｙ  Ｃｈｅｃｋ  Ｍａｓｋｉｎｇ）の方法により、ＣＲＣに対してスクランブリングし、異なるスクランブリング配列が異なるキャリアスケジューリング指示情報に対応しているため、端末側はダウンリンク情報を受信した後、ＣＲＣ情報を検出することによりスクランブリングコード情報を取得して、対応するキャリアスケジューリング指示情報を取得する。
この種類の暗然的方式の技術案は従来のＤＣＩフォーマットを変更する必要がなく、良い後方交換性を備える。
【００２９】
又、もう一種の実施方式で各ダウンリンク制御指示情報毎に対応するキャリアスケジューリング指示情報を表現できる。
例えば、ダウンリンク制御指示情報の長さにより、各ダウンリンク制御指示情報毎に対応するキャリアスケジューリング指示情報を識別でき、また、同じ長さのＤＣＩに対して、パディング（ｐａｄｄｉｎｇ）ビットを付加することでさらに識別することができる。
この種の技術案において、異なる帯域幅であるが、配置されたＤＣＩ  ｆｏｒｍａｔが同じビット数となる場合、基地局側はゼロパディング（ｐａｄｄｉｎｇ）ビットを付加することでＤＣＩフォーマットをさらに識別する。
ｐａｄｄｉｎｇビットの付加により他のＤＣＩと同じビット数となった場合、ｐａｄｄｉｎｇビットを引き続き付加して同じビットのＤＣＩらを識別する。
端末側と基地局側はゼロパディングの数について約束できる。
すなわち、この実施方式において、前記ダウンリンク・サブフレームにおけるＰＤＣＣＨはダウンリンク制御指示情報を搬送し、その際のキャリアスケジューリング指示情報は対応するダウンリンク制御指示情報の長さであり、又、異なるキャリアに対応するダウンリンク制御指示情報が同じビット数となる場合、前記キャリアスケジューリング指示情報は、対応するダウンリンク制御指示情報の後に付加された、異なるキャリアを識別するためのゼロをさらに含む。
【００３０】
［ステップ５０２］
以下、ステップ５０２について詳細に説明する。
【００３１】
前記ダウンリンク・サブフレームはダウンリンク制御指示情報と各ダウンリンク制御指示情報を対応するキャリアスケジューリング指示情報を含むため、前記ダウンリンク・サブフレームが端末側に送信された後、端末側は前記ダウンリンク・サブフレームでスケジューリングするキャリアの帯域幅により、具体的なＤＣＩフォーマットを判定できる。
【００３２】
図７に示したように、本発明の実施形態に係るマルチキャリア・アグリゲーションシステムにおけるダウンリンク情報の送信装置は、配置手段７１と、送信手段７２とを有する。
前記配置手段７１は、ダウンリンク・サブフレームを配置する。
前記ダウンリンク・サブフレームにおける物理ダウンリンク制御チャネル（ＰＤＣＣＨ）はダウンリンク制御指示情報及び各ダウンリンク制御指示情報を対応するキャリアスケジューリング指示情報を搬送する。
送信手段７２は、前記ダウンリンク・サブフレームを送信する。
【００３３】
一つの実施形態において、前記ダウンリンク・サブフレームにおけるＰＤＣＣＨは、ダウンリンク制御指示情報フィールドとキャリアスケジューリング指示情報フィールドとを含むことができ、一つのダウンリンク制御指示情報フィールド毎に一つのキャリアスケジューリング指示情報フィールドが対応しており、そのうち、前記ダウンリンク制御指示情報フィールドはダウンリンク制御指示情報を伝送し、前記キャリア指示情報フィールドはダウンリンク制御指示情報に対応するキャリアのスケジューリング指示情報を伝送する。
前記キャリア指示情報フィールドと対応するダウンリンク制御指示情報フィールドの位置は相対的に固定している。
例えば、前記キャリア指示情報フィールドは対応するダウンリンク制御指示情報フィールドの前又は後、又は一定のビット間隔を置いて設置する。
【００３４】
もう一つの実施形態において、前記ダウンリンク・サブフレームにおけるＰＤＣＣＨは、対応するキャリアのダウンリンク制御指示情報と、暗然的指示に対応するキャリアスケジューリング指示情報とを伝送するためのダウンリンク制御指示情報フィールドを含むことができる。
各キャリア毎に対応するダウンリンク制御指示情報が異なるスクランブリング配列を対応しているため、各ダウンリンク制御指示情報に対応するスクランブリング配列をキャリアスケジューリング指示情報とすることができる。
【００３５】
さらにもう一つの実施形態において、前記ダウンリンク・サブフレームにおけるＰＤＣＣＨは、対応するキャリアのダウンリンク制御指示情報を伝送するためのダウンリンク制御指示情報フィールドを含むことができる。
前記キャリアスケジューリング指示情報は対応するダウンリンク制御指示情報の長さであり、且つ異なるキャリアに対応する複数のダウンリンク制御指示情報が同じビット数となった場合、前記キャリアスケジューリング指示情報はさらに、対応するダウンリンク制御指示情報の後に付加される、異なるキャリアを区別するためのビットを含む。
例えば、対応するダウンリンク制御指示情報の後にゼロを埋めて異なるキャリアを区別する。
【００３６】
図８に示したように、本発明の実施形態に係るダウンリンク情報の取得方法は、端末側はダウンリンク・サブフレームを検出するステップ８０１と、端末側はダウンリンク制御指示フィールドを含むダウンリンク・サブフレームを検出した後、前記ダウンリンク・サブフレームにおける物理ダウンリンク制御チャネル（ＰＤＣＣＨ）から自身の占用するキャリアに対応するダウンリンク制御指示情報及び各ダウンリンク制御指示情報毎に対応するキャリアスケジューリング指示情報を取得するステップ８０２とを含む。
【００３７】
ＰＤＣＣＨで伝送されるダウンリンク制御指示情報とキャリアスケジューリング指示情報の状況により、ステップ８０２は複数種の方法で実現できる。
【００３８】
例えば、前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応しており、そのうち、前記ダウンリンク制御指示情報フィールドはダウンリンク制御指示情報を伝送し、前記キャリアスケジューリング指示情報フィールドはダウンリンク制御指示情報に対応するキャリアスケジューリング指示情報を伝送する。
このようなＰＤＣＣＨ状態の場合、端末側はキャリアスケジューリング指示情報フィールドからキャリアスケジューリング指示情報を取得し、且つ、対応するダウンリンク制御指示情報フィールドから各キャリアスケジューリング指示情報毎に対応するダウンリンク制御指示情報を取得し、又、自身が占用するキャリアの帯域幅情報により、自身が占用するキャリアに対応するダウンリンク制御指示情報を取得する。
このように、端末が前記ダウンリンク制御指示フィールドから自ら占用するキャリアに対応するダウンリンク制御指示情報を取得することは、次の方法で実現できる。
【００３９】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、且つ陰的指示に対応するキャリアスケジューリング指示情報は当該キャリアのダウンリンク制御指示情報のスクランブリング配列である。
この際、端末側は自身の占用する各キャリア毎に対応するスクランブリング配列を使用し、検出されたダウンリンク制御指示情報をデスクランブリングし、デスクランブリング成功の場合、当該ダウンリンク制御指示情報をデスクランブリングに成功した際に使用されたスクランブリング配列に対応するキャリアのものと判定する。
こうして、前記ダウンリンク制御指示フィールドから自身の占用するキャリアに対応するダウンリンク制御指示情報を取得する。
【００４０】
また、前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報は対応するダウンリンク制御指示情報の長さであり、且つ異なるキャリアに対応するダウンリンク制御指示情報が同じビット数となる場合、前記キャリアスケジューリング指示情報は、対応するダウンリンク制御指示情報の後に付加される、異なるキャリアを区別するためのゼロをさらに含む。
この際、端末側は前記ダウンリンク制御指示フィールドから自身の占用するキャリアに対応するダウンリンク制御指示情報を取得でき、具体的には、各ダウンリンク制御指示情報の長さを使用して自身の占用するキャリアに対応するダウンリンク制御指示情報を認識して取得する。
【００４１】
図９に示したように、図８に示した方法に応じる、本発明の実施形態に係るマルチキャリア・アグリゲーションシステムにおけるダウンリンク情報の取得装置は、基地局側より送信されたダウンリンク・サブフレームを検出する検出手段９１と、ダウンリンク・サブフレームを検出した後、前記ダウンリンク・サブフレームにおける物理ダウンリンク制御チャネル（ＰＤＣＣＨ）から自身が占用するキャリアに対応するダウンリンク制御指示情報を取得する取得手段９２とを有する。
【００４２】
前記ダウンリンク・サブフレームにおけるＰＤＣＣＨが、ダウンリンク制御指示情報フィールドとキャリアスケジューリング指示情報フィールドを含み、各ダウンリンク制御指示情報フィールド毎に一つのキャリア指示情報フィールドが対応しており、そのうち、前記ダウンリンク制御指示情報フィールドはダウンリンク制御指示情報を伝送し、前記キャリアスケジューリング指示情報フィールドはダウンリンク制御指示情報に対応するキャリアスケジューリング指示情報を伝送する。
この際、前記取得手段９２はキャリアスケジューリング指示情報フィールドからキャリアスケジューリング指示情報を取得し、且つ、対応するダウンリンク制御指示情報フィールドから各キャリアスケジューリング指示情報毎に対応するダウンリンク制御指示情報を取得し、又、端末側が占用するキャリアの帯域幅情報により、当該端末側が占用するキャリアに対応するダウンリンク制御指示情報を取得する。
【００４３】
また、前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、且つ暗然的指示に対応するキャリアスケジューリング指示情報は当該キャリアのダウンリンク制御指示情報のスクランブリング配列である場合、前記取得手段９２は端末側の占用する各キャリアに対応するスクランブリング配列を使用し、検出されたダウンリンク制御指示情報をデスクランブリングする。
デスクランブリングできた場合、当該ダウンリンク制御指示情報をデスクランブリングできたスクランブリング配列に対応するキャリアのものと判定できる。
【００４４】
また、前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報は対応するダウンリンク制御指示情報の長さであり、且つ異なるキャリアに対応するダウンリンク制御指示情報が同じビット数となる場合、前記キャリアスケジューリング指示情報は、対応するダウンリンク制御指示情報の後に付加される、異なるキャリアを区別するためのゼロをさらに含む。
この際、前記取得手段９２は各ダウンリンク制御指示情報の長さにより、自身の占用するキャリアに対応するダウンリンク制御指示情報を認識して取得する。
【００４５】
本発明の実施形態において、基地局側はダウンリンク・サブフレームのＰＤＣＣＨを配置する際、キャリアスケジューリング指示情報を当該ダウンリンク・サブフレームのＰＤＣＣＨに含ませる必要がある。
ここで、キャリアスケジューリング指示情報は、ＤＣＩ情報にＣＩビットフィールドを追加することで顕然的方式で指示できるし、又は、暗然的方式で指示できる。
顕然的方式でキャリアスケジューリング指示情報を指示する場合、ＰＤＣＣＨ内のＣＩ情報フィールドの位置は端末側が予め了解できるものであり、ＤＣＩ情報の最先頭又は最後に置くことができる。
【００４６】
顕然的方式でキャリアスケジューリング指示情報を指示する場合、基地局側は各ＤＣＩ毎にキャリアスケジューリング指示ビットを追加する。
端末側はダウンリンク・サブフレームにおけるＤＣＩフィールドを検出した後、先ず固定の位置にキャリアスケジューリング指示情報フィールドを見つけ、当該ＤＣＩフィールドにおけるＤＣＩ情報に指示されたキャリアを解析する。
同時に、端末は自身の占用する各キャリアの帯域幅を分かるため、キャリアスケジューリング指示情報と帯域幅情報を結合すれば、当該ＤＣＩがどちらのキャリアをスケジューリングするものか、及び当該ＤＣＩのフォーマットを間違いなく判定できる。
【００４７】
一方、暗然的方式でキャリアスケジューリング指示情報を指示する場合、Ｒ８システムにおいて、端末側へのＤＣＩ情報はＣＲＣチェックが追加された後、ＰＤＣＣＨにおいて伝送される。
キャリアスケジューリング指示情報を取得させるため、キャリア毎に対して一つの配列を対応する。
基地局側でＤＣＩ情報にＣＲＣチェックを追加する際、当該ＤＣＩのスケジューリングするキャリアに対応する配列を使用して、ＣＲＣをスクランブリングしてからＰＤＣＣＨで伝送する。
端末側はＣＲＣチェックを実行する際、自身の各キャリアに対応する異なる配列を使用してＣＲＣをデスクランブルし、当該ＣＲＣを正しくデスクランブリングできる配列を確認する。
デスクランブルに成功した際に使用された配列に対応するキャリアは、当該ＤＣＩ情報に指示されたキャリアである。
そうすると、当該ＤＣＩでスケジューリングされているキャリア情報は暗然的方式で取得できるようになる。
その後、キャリアスケジューリング指示情報と帯域幅情報を結合すれば、当該ＤＣＩでスケジューリングされているキャリア、及び当該ＤＣＩのフォーマットを間違いなく判定できるようになる。
【００４８】
本発明の実施形態では、又、ｐａｄｄｉｎｇビットを付加することによりＤＣＩフォーマットを認識できない問題点を解決する。
各コンポーネントキャリア
2013502113.tif 000015
の帯域幅が異なることにより、対応するＤＣＩフォーマットもそれぞれとなるが、それらの相違するＤＣＩフォーマットが同じ長さになる場合あるため、受信側がＤＣＩフォーマットを認識できなくなる。
この際、ｐａｄｄｉｎｇビットを追加して長さをそれぞれ異なるようにすることにより、受信側におけるＤＣＩフォーマットを識別できない問題点を解決する。
【００４９】
本発明の実施形態はＤＣＩフォーマットを認識できない問題点を有効的に解決でき、異なる帯域幅のキャリアがアグリゲートされた場合でも、ＤＣＩを正しく検出できるようにする。
【００５０】
本領域の技術者として、本発明の実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。
当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【００５１】
以上は本発明の実施形態の方法、装置（システム）、及びコンピュータプログラム製品のフロー及び／又はブロック図により本発明を記述した。
理解すべきことは、コンピュータプログラムの指令により、フロー及び／又はブロック図における各フロー及び／又はブロックと、フロー及び／又はブロック図におけるフロー及び／又はブロックの結合を実現できる。
プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における一つのブロック又は複数のブロックに指定される機能を実現する。
【００５２】
それらのコンピュータプログラム指令は又、コンピュータ又は他のプログラミング可能なデータ処理装置を特定方式で動作させるコンピュータ読取記憶装置に記憶できる。
これにより、指令を含む装置は当該コンピュータ読取記憶装置における指令を実行でき、又、フロー図における一つまたは複数のフローと／又はブロック図における一つ又は複数のブロックにおいて指定される機能を実現できる。
【００５３】
これらのコンピュータプログラム指令は又、コンピュータ又は他のプログラミング可能なデータ処理装置に実装できる。
コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【００５４】
本発明の好ましい実施形態について記述したが、当業者は、本発明の基本的な技術思想を把握した上、多種多様な変更と変形を行える。
そのような全ての変形及と変更は本発明に記述された実施形態と共に、付加する請求の範囲の範囲内にあると解釈されるべきである。
【００５５】
無論、当業者により、上述した実施形態に記述された技術的な解決手段を改造し、又はその中の一部の技術要素を置換することもできる。
そのような改造と置換は本発明の各実施形態の技術の範囲から逸脱するとは見なされない。
【符号の説明】
【００５６】
７１  ・・・  配置手段（配置ユニット）
７２  ・・・  送信手段（送信ユニット）
９１  ・・・  検出手段（検出ユニット）
９２  ・・・  取得手段（取得ユニット）
【手続補正２】
【補正対象書類名】特許請求の範囲
【補正対象項目名】全文
【補正方法】変更
【補正の内容】
【特許請求の範囲】
【請求項１】
マルチキャリア・アグリゲーションシステムにおけるダウンリンク情報の伝送方法であって、
基地局側が端末側にダウンリンク・サブフレームを送信するステップを含み、
前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）が、ダウンリンク制御指示情報と各ダウンリンク制御指示情報毎に対応するキャリアスケジューリング指示情報を搬送することを特徴とするマルチキャリア・アグリゲーションシステムにおけるダウンリンク情報の伝送方法。
【請求項２】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、
前記ダウンリンク制御指示情報フィールドはダウンリンク制御指示情報を伝送するのに用い、
前記キャリアスケジューリング指示情報フィールドはダウンリンク制御指示情報に対応するキャリアスケジューリング指示情報を伝送するのに用いることを特徴とする請求項１に記載のマルチキャリア・アグリゲーションシステムにおけるダウンリンク情報の伝送方法。
【請求項３】
前記キャリアスケジューリング指示情報フィールドと対応するダウンリンク制御指示情報フィールドの位置が固定的であることを特徴とする請求項２に記載のマルチキャリア・アグリゲーションシステムにおけるダウンリンク情報の伝送方法。
【請求項４】
前記キャリアスケジューリング指示情報フィールドが、対応するダウンリンク制御指示情報フィールドの最先頭または最後に位置し、或いは、対応するウンリンク制御指示情報フィールドと一定のビット間隔を置くことを特徴とする請求項３に記載のマルチキャリア・アグリゲーションシステムにおけるダウンリンク情報の伝送方法。
【請求項５】
端末が、前記キャリアスケジューリング指示情報の位置と長さを予め了解し、対応するダウンリンク制御指示情報フィールドを検出した後、前記キャリアスケジューリング指示情報フィールドを検出することを特徴とする請求項４に記載のマルチキャリア・アグリゲーションシステムにおけるダウンリンク情報の伝送方法。
【請求項６】
前記ダウンリンクにおけるＰＤＣＣＨが、対応するキャリアのダウンリンク制御指示情報と、暗然的指示に対応するキャリアスケジューリング指示情報とを伝送するためのダウンリンク制御指示情報フィールドを含むことを特徴とする請求項１に記載のマルチキャリア・アグリゲーションシステムにおけるダウンリンク情報の伝送方法。
【請求項７】
異なるキャリアのダウンリンク制御指示に対して異なるスクランブリング配列を使用してスクランブリングする場合、前記キャリアスケジューリング指示情報が、
前記ダウンリンク制御指示情報をスクランブリングするためのスクランブリング配列を含むことを特徴とする請求項６に記載のマルチキャリア・アグリゲーションシステムにおけるダウンリンク情報の伝送方法。
【請求項８】
前記ダウンリンク・サブフレームにおけるＰＤＣＣＨが、対応するキャリアのダウンリンク制御指示情報を伝送するためのダウンリンク制御指示情報フィールドを含み、
前記キャリアスケジューリング指示情報が対応するダウンリンク制御指示情報の長さであり、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含むことを特徴とする請求項１に記載のマルチキャリア・アグリゲーションシステムにおけるダウンリンク情報の伝送方法。
【請求項９】
ダウンリンク・サブフレームを配置する配置手段と、
前記ダウンリンク・サブフレームを送信する送信手段とを有し、
前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）が、ダウンリンク制御指示情報と各ダウンリンク制御指示情報毎に対応するキャリアスケジューリング指示情報を伝送するのに用いることを特徴とするマルチキャリア・アグリゲーションシステムにおけるダウンリンク情報の伝送装置。
【請求項１０】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、
前記ダウンリンク制御指示情報フィールドはダウンリンク制御指示情報を伝送するのに用い、
前記キャリアスケジューリング指示情報フィールドはダウンリンク制御指示情報に対応するキャリアスケジューリング指示情報を伝送するのに用いることを特徴とする請求項９に記載のマルチキャリア・アグリゲーションシステムにおけるダウンリンク情報の伝送装置。
【請求項１１】
前記キャリアスケジューリング指示情報フィールドと対応するダウンリンク制御指示情報フィールドの位置は固定的であることを特徴とする請求項１０に記載のマルチキャリア・アグリゲーションシステムにおけるダウンリンク情報の伝送装置。
【請求項１２】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含むことを特徴とする請求項９に記載のマルチキャリア・アグリゲーションシステムにおけるダウンリンク情報の伝送装置。
【請求項１３】
前記ダウンリンク・サブフレームにおけるＰＤＣＣＨが、対応するキャリアのダウンリンク制御指示情報を伝送するためのダウンリンク制御指示情報フィールドを含み、
前記キャリアスケジューリング指示情報が、対応するダウンリンク制御指示情報の長さであり、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含むことを特徴とする請求項９に記載のマルチキャリア・アグリゲーションシステムにおけるダウンリンク情報の伝送装置。
【請求項１４】
端末側はダウンリンク・サブフレームを検出した後、前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）から自身の占用するキャリアに対応するダウンリンク制御指示情報を取得するステップを含むことを特徴とするマルチキャリア・アグリゲーションシステムにおけるダウンリンク情報の取得方法。
【請求項１５】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、前記ダウンリンク制御指示情報フィールドはダウンリンク制御指示情報を伝送するのに用い、前記キャリアスケジューリング指示情報フィールドはダウンリンク制御指示情報に対応するキャリアスケジューリング指示情報を伝送するのに用い、
その場合、端末側自身の占用するキャリアに対応するダウンリンク制御指示情報を取得するステップが、
端末側が、キャリアスケジューリング指示情報フィールドからキャリアスケジューリング指示情報を取得し、対応するダウンリンク制御指示情報フィールドから各キャリアスケジューリング指示情報毎に対応するダウンリンク制御指示情報を取得し、又、自身の占用するキャリアの帯域幅情報により、自身の占用するキャリアに対応するダウンリンク制御指示情報を取得するステップを含むことを特徴とする請求項１４に記載のマルチキャリア・アグリゲーションシステムにおけるダウンリンク情報の取得方法。
【請求項１６】
前記キャリアスケジューリング指示情報フィールドが、対応するダウンリンク制御指示情報フィールドの最先頭または最後に位置し、或いは、対応するダウンリンク制御指示情報フィールドと一定のビット間隔を置くことを特徴とする請求項１５に記載のマルチキャリア・アグリゲーションシステムにおけるダウンリンク情報の取得方法。
【請求項１７】
端末が、前記キャリアスケジューリング指示情報の位置と長さを予め了解し、対応するダウンリンク制御指示情報フィールドを検出した後、前記キャリアスケジューリング指示情報フィールドを検出することを特徴とする請求項１６に記載のマルチキャリア・アグリゲーションシステムにおけるダウンリンク情報の取得方法。
【請求項１８】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、又、暗然的指示に対応するキャリアスケジューリング指示情報が当該キャリアのダウンリンク制御指示情報をスクランブリングするスクランブリング配列である場合、
端末側自身の占用するキャリアに対応するダウンリンク制御指示情報を取得するステップが、
端末側は自身の占用する各キャリアに対応するスクランブリング配列を使用して、検出されたダウンリンク制御指示情報をデスクランブリングし、デスクランブリングに成功した場合、当該ダウンリンク制御指示情報が、デスクランブリングに成功したスクランブリング配列に対応するキャリアに含まれると判定するステップを含むことを特徴とする請求項１４に記載のマルチキャリア・アグリゲーションシステムにおけるダウンリンク情報の取得方法。
【請求項１９】
前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報が対応するダウンリンク制御指示情報の長さであり、又、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含み、
その場合、端末側自身の占用するキャリアに対応するダウンリンク制御指示情報を取得するステップが、
端末側が各ダウンリンク制御指示情報の長さを使用して自身の占用するキャリアに対応するダウンリンク制御指示情報を認識して取得するステップを含むことを特徴とする請求項１４に記載のマルチキャリア・アグリゲーションシステムにおけるダウンリンク情報の取得方法。
【請求項２０】
基地局側から送信されるダウンリンク・サブフレームを検出する検出手段と、
ダウンリンク・サブフレームを検出した後、前記ダウンリンク・サブフレームにおける物理ダウンリンク制御チャネル（Ｐｈｙｓｉｃａｌ  ｄｏｗｎｌｉｎｋ  ｃｏｎｔｒｏｌ  ｃｈａｎｎｅｌ、ＰＤＣＣＨ）から自身の占用するキャリアに対応するダウンリンク制御指示情報を取得する取得手段とを含むことを特徴とするマルチキャリア・アグリゲーションシステムにおけるダウンリンク情報の取得装置。
【請求項２１】
前記ダウンリンク・サブフレームにおけるＰＤＣＣＨが、ダウンリンク制御指示情報フィールドとキャリアスケジューリング指示情報フィールドとを含み、各ダウンリンク制御指示情報フィールド毎に一つのキャリアスケジューリング指示情報フィールドが対応し、前記ダウンリンク制御指示情報フィールドはダウンリンク制御指示情報を伝送するのに用い、前記キャリアスケジューリング指示情報フィールドはダウンリンク制御指示情報に対応するキャリアスケジューリング指示情報を伝送するのに用い、
その場合、前記取得手段が、キャリアスケジューリング指示情報フィールドからキャリアスケジューリング指示情報を取得し、対応するダウンリンク制御指示情報フィールドから各キャリアスケジューリング指示情報毎に対応するダウンリンク制御指示情報を取得し、又、端末側の占用するキャリアの帯域幅情報により、当該端末側の占用するキャリアに対応するダウンリンク制御指示情報を取得することを特徴とする請求項２０に記載のマルチキャリア・アグリゲーションシステムにおけるダウンリンク情報の取得装置。
【請求項２２】
前記ダウンリンク・サブフレームにおけるＰＤＣＣＨが、対応するキャリアのダウンリンク制御指示情報と、暗然的指示に対応するキャリアスケジューリング指示情報とを伝送するためのダウンリンク制御指示情報フィールドを含み、又、キャリアスケジューリング指示情報が当該キャリアのダウンリンク制御指示情報をスクランリングブするスクランブリング配列である場合、
前記取得手段が、端末側の占用する各キャリアに対応するスクランブリング配列を使用して、検出されたダウンリンク制御指示情報をデスクランブリングし、デスクランブリングに成功した場合、当該ダウンリンク制御指示情報はデスクランブリングに成功したスクランブリング配列に対応するキャリアに含まれると判定することを特徴とする請求項２０に記載のマルチキャリア・アグリゲーションシステムにおけるダウンリンク情報の取得装置。
【請求項２３】
前記ダウンリンク・サブフレームにおけるＰＤＣＣＨが、対応するキャリアのダウンリンク制御指示情報を伝送するためのダウンリンク制御指示情報フィールドを含み、前記キャリアスケジューリング指示情報が対応するダウンリンク制御指示情報の長さであり、又、異なるキャリアに対応するダウンリンク制御指示情報が同じビット数となる場合、前記キャリアスケジューリング指示情報が、対応するダウンリンク制御指示情報の後に付加され、異なるキャリアを区別するための追加ビットをさらに含み、
その場合、前記取得手段が、各ダウンリンク制御指示情報の長さにより、自身の占用するキャリアに対応するダウンリンク制御指示情報を認識して取得することを特徴とする請求項２０に記載のマルチキャリア・アグリゲーションシステムにおけるダウンリンク情報の取得装置。
【国際調査報告】
2013502113.tif 000016
2013502113.tif 000017
2013502113.tif 000018
2013502113.tif 000019